(57)【要約】【課題】薬液タンクを搭載して薬剤散布しながら圃場走行を行う薬剤散布車両について、ロプスフレームによって乗員保護を図るとともに、コンパクトな機体格納を可能とする薬剤散布車両を提供する。【解決手段】薬液散布車両は、運転座席（６）とその近傍配置の薬液タンク（５）とを搭載しつつ、圃場走行可能に構成され、上記運転座席（６）を支持するための座席フレーム（１２）は、機体を構成するメインフレーム（１１）と一体に設け、かつ、上記座席フレーム（１２）に乗員保護用のロプスフレーム（７）の基部（７ａ）を取付け、同ロプスフレーム（７）の上端を上記運転座席（６）および上記薬液タンク（５）より高位に及んで構成するとともに、同ロプスフレーム（７）には、その上部側を後方に折たたみ可能に支持する可倒支点（７ｃ）を設けることにより、折りたたみによってコンパクトな機体格納を可能とするものである。【選択図】図２
2015082988.tif 000002
【特許請求の範囲】
【請求項１】
運転座席（６）とその近傍配置の薬液タンク（５）とを搭載しつつ、圃場走行可能に構成した薬液散布車両において、
上記運転座席（６）を支持するための座席フレーム（１２）を機体のメインフレーム（１１）と一体に構成し、かつ、上記座席フレーム（１２）に乗員保護用のロプスフレーム（７）の基部（７ａ）を取付け、同ロプスフレーム（７）の上端を上記運転座席（６）および上記薬液タンク（５）より高位に及んで形成するとともに、同ロプスフレーム（７）には、その上部側を後方に折たたみ可能に支持する可倒支点（７ｃ）を設けてなることを特徴とする薬液散布車両。
【請求項２】
前記運転座席（６）の後方に前記薬液タンク（５）を配置し、同薬液タンク（５）の上面に沿って、かつその後端までの範囲内に折畳み可能に前記ロプスフレーム（７）の上部側を構成してなることを特徴とする請求項１に記載の薬液散布車両。
【請求項３】
前記運転座席（６）の後方に前記薬液タンク（５）を配置し、前記薬液タンク（５）の上面に給水口（５ａ）を備え、ロプスフレーム（７）を給水口（５ａ）を囲みうる大きさの矩形ループ状の枡型フレーム部（７ｂ）に構成したことを特徴とする請求項１または請求項２に記載の薬液散布車両。
【発明の詳細な説明】
【技術分野】
【０００１】
本発明は、薬液タンクを搭載して圃場の薬剤散布走行を行う薬剤散布車両に関するものである。
【背景技術】
【０００２】
特許文献１または特許文献２に記載のように、薬液タンクを搭載して圃場の薬剤散布走行を行うとともに、乗員保護のためのロプスフレームを設けた例が知られている。このロプスフレームにより、高重心の薬剤散布車両が圃場走行時や畦越え等の際の機体傾斜によって横転した場合の乗員保護を可能とする。
【先行技術文献】
【特許文献】
【０００３】
【特許文献１】特開２００４−７４０９６号公報
【特許文献２】特開２００１−６８０３０号公報
【発明の概要】
【０００４】
しかしながら、ロプスフレームは、乗員保護のために、運転座席に着座した乗員の頭の高さまで高く構成する必要があることから、作業終了後の機体の格納のためには、天井の低い納屋や車庫では対応できず、ロプスフレームより天井が高い特別な格納スペースが必要とされていた。
【発明が解決しようとする課題】
【０００５】
本発明の目的は、薬液タンクを搭載して圃場の薬剤散布走行を行う薬剤散布車両について、ロプスフレームによって機体転倒時の乗員保護を図るとともに、コンパクトな機体格納を可能とする薬剤散布車両を提供することにある。
【課題を解決するための手段】
【０００６】
請求項１に係る発明は、運転座席（６）とその近傍配置の薬液タンク（５）とを搭載しつつ、圃場走行可能に構成した薬液散布車両において、上記運転座席（６）を支持するための座席フレーム（１２）を機体のメインフレーム（１１）と一体に構成し、かつ、上記座席フレーム（１２）に乗員保護用のロプスフレーム（７）の基部（７ａ）を取付け、同ロプスフレーム（７）の上端を上記運転座席（６）および上記薬液タンク（５）より高位に及んで形成するとともに、同ロプスフレーム（７）には、その上部側を後方に折たたみ可能に支持する可倒支点（７ｃ）を設けてなることを特徴とする。
【０００７】
請求項２に係る発明は、請求項１に係る発明の構成において、前記運転座席（６）の後方に前記薬液タンク（５）を配置し、同薬液タンク（５）の上面に沿って、かつその後端までの範囲内に折畳み可能に前記ロプスフレーム（７）の上部側を構成してなることを特徴とする。
【０００８】
請求項３に係る発明は、請求項１または請求項２に係る発明の構成において、前記運転座席（６）の後方に前記薬液タンク（５）を配置し、前記薬液タンク（５）の上面に給水口（５ａ）を備え、ロプスフレーム（７）を給水口（５ａ）を囲みうる大きさの矩形ループ状の枡型フレーム部（７ｂ）に構成したことを特徴とする。
【発明の効果】
【０００９】
請求項１に係る発明により、メインフレーム（１１）と一体の座席フレーム（１２）にロプスフレーム（７）を取付けたことから、薬液タンク（５）の容量確保とともに、ロプスフレーム（７）の支持剛性の確保および、薬液タンク（５）の着脱性の確保が可能となる。また、同ロプスフレーム（７）の上端が運転座席（６）および薬液タンク（５）より高く立ち上がることから、車両の横転等の際の乗員保護が可能となり、このロプスフレーム（７）に設けた可倒支点（７ｃ）により、その上部側を後方に折たたみ可能に支持することができることから、走行の際の乗員保護を図るとともに、機体格納の際の機体全高を抑えることができるので、天井が低い格納庫等にコンパクトに収容することができる。
【００１０】
請求項２に係る発明により、請求項１に係る発明の効果に加え、ロプスフレーム（７）は、その上部側を後方に折りたたむことにより、薬液タンク（５）の上面に沿ってその大きさの範囲に安定して収納されることから、機体の格納や引出し作業を安定して効率よく行うことができる。
【００１１】
請求項３に係る発明により、請求項１または請求項２に係る発明の効果に加え、前記ロプスフレーム（７）の上部側に設けた枡型フレーム部（７ｂ）は、フレーム剛性を損なうことなく薬液タンク（５）の給水口（５ａ）を囲みうる一定の空間域を確保できることから、起立状態において、運転座席から後方に対する操作性を確保することができる上に、給水口（５ａ）を塞ぐことなく薬液タンク（５）の上面にロプスフレーム（７）の上部側を折畳むことができるので、ロプスフレーム（７）を折りたたんだままで、格納庫等における薬液タンク（５）への給水操作を可能とする。
【図面の簡単な説明】
【００１２】
【図１】本発明の薬剤散布車両の平面図（ａ）および側面図（ｂ）
【図２】ロプスフレームの構成例につき、散布ブームの記載を省略した機体側面図
【図３】図２のロプスフレームの構成例の機体背面図
【図４】ロプスフレームの別構成例の前記同様の機体側面図
【発明を実施するための形態】
【００１３】
上記技術思想に基づいて具体的に構成された実施の形態について以下に図面を参照しつつ説明する。
図１は、本発明を適用した薬剤散布車両の一例の平面図（ａ）および側面図（ｂ）である。
この薬剤散布車両１は、前後輪操舵可能な左右の前輪３，３と左右の後輪４，４とによって圃場走行可能に支持した機体に、ステアリングハンドル２に臨む中央配置の運転座席６と、その後ろに起立するロプスフレーム７と、定量吐出部を備えた後部配置の薬液タンク５と、機体前端のブーム９ａおよびその両側方に展開可能な左右のブーム９ｂ，９ｂ等を備えて構成される。薬液タンク５は、運転座席６の後部および両側部に及ぶ範囲に構成し、タンク上面には薬液給水のために開閉操作可能な蓋５ａを備える。
【００１４】
ロプスフレーム７について詳細に説明すると、散布ブームの記載を省略した機体側面図を図２に、およびその背面図を図３に示すように、機体を構成する左右のメインフレーム１１，１１と一体に左右の座席フレーム１２，１２を設けて運転座席６を支持するとともに、左右の座席フレーム１２，１２にロプスフレーム７の左右の基部７ａ，７ａをボルト等により取付けて運転座席６の背面位置にロプスフレーム７を起立する。
【００１５】
このように、左右のメインフレーム１１，１１と一体に設けた左右の座席フレーム１２，１２にロプスフレーム７を取付けたことから、後輪ファイナルケースを利用して取付ける一般的な作業車両のロプスフレームの支持構造が大きな薬液タンク５のために適用できない機体構成にあっても、薬液タンク５の容量および多目的利用のためのタンク５の着脱性を損なうことなく、ロプスフレーム７の支持剛性の確保が可能となる。また、運転座席６と薬液タンク５との間の僅かな隙間を効率よく利用することができる。
【００１６】
ロプスフレーム７の上部側は、角型ループ状で中央に空間域を有するフレームによる枡型フレーム部７ｂによって構成することにより、機体転倒時に乗員の至近位置で乗員保護を図りつつ、最小限の部品点数によるシンプル性と優れたコストパフォーマンスとを合わせて確保することができる。
【００１７】
枡型フレーム部７ｂの下端部は、薬液タンク５の上面高さとし、また、上端部は乗員の頭部より高く形成することにより、運転座席６の至近位置のロプスフレーム７について、運転座席６の後方の空間を確保することができるので、タンク５への給水時に支障なく蓋５ａの開閉操作が可能となるとともに、乗員の頭部保護のための十分な領域の確保および走行時の機体の揺れに伴うロプスフレーム７と乗員の身体との干渉を回避することができる。また、枡型フレーム部７ｂの車幅方向寸法Ｗは、薬液タンク５の幅寸法と同等とすることにより、機体の転倒によっても横転範囲で抑えられることから、乗員保護を確保することができる。
【００１８】
ロプスフレーム７の上部側の枡型フレーム部７ｂは、運転座席６の後方の薬液タンク５側に折たたみ可能に左右の可倒支点７ｃ，７ｃを介して左右の基部７ａ，７ａに支持し、固定ピン７ｄを抜き挿し可能に付帯することにより、上部側の起立と折りたたみとを切り替え、走行時における乗員保護の確保とともに、機体格納時のコンパクト化が可能となる。また、ロプスフレーム７の折りたたみ状態においても、枡型フレーム部７ｂの空間域によって蓋５ａの開閉操作が可能なことから、機体格納時においても支障なく給水作業が可能となる。
【００１９】
左右の可倒支点７ｃ，７ｃは、枡型フレーム部７ｂが薬液タンク５の上面に接して折たたみ可能な高さ位置とすることにより、枡型フレーム部７ｂを後方に倒した際に、厚肉樹脂材によって堅固に形成されている一般的な薬液タンク５に受けて折たたみ支持が可能なことから、折りたたみ位置における固定装置が不要となり、面倒なロック操作を要することなく、単に枡型フレーム部７ｂを薬液タンク５上に倒す簡易な操作によって折りたたみ収納状態に移行することができる。
【００２０】
また、ロプスフレーム７は、枡型フレーム部７ｂを起立位置に展開した状態の上端位置を乗員の頭部より高く突出するとともに、薬液タンク５の上面に折りたたんだ状態において同薬液タンク５の後端部までの範囲に収まる長さとすることにより、乗員保護の確保とコンパクトな安定収納とを両立することができる。
【００２１】
（別構成例）
ロプスフレームは、その別構成例における前記同様の機体側面図を図４に示すように、枡型フレーム部２１を薬液タンク５の上面に折りたたんだ状態において同薬液タンク５の後端部より後方に突出する長さに形成し、畦越え等の際に枡型フレーム部２１を薬液タンク５の後端部より後方に突出させておくことにより、格納庫に機体を後進で収容する際に、樹脂製の薬液タンクが後方の障害物に直接当接することによる破損を防止することができる。
【００２２】
ロプスフレーム７の上端面には、反射板１３ａ，１３ａを設ける（図２、図３参照）ことにより、薬液タンク５の上面に枡型フレーム部７ｂを折りたたんだ状態で走行する際の車両視認性が確保されるほか、枡型フレーム部７ｂの下端部の背面側に反射板１３ｂ，１３ｂを設けることにより、枡型フレーム部７ｂを起立して走行する際の周囲からの車両視認性が確保されて走行の安全を図ることが可能となる。
【００２３】
また、ロプスフレーム７の幅寸法Ｗについては、薬液タンク５の最大幅寸法より大きく構成することにより、機体の横転時に側方の安全領域を確保することができる。
【００２４】
左右の可倒支点７ｃ，７ｃを拘束するための固定ピン７ｄは、運転座席６の背面部を避けて側方（図例は左側方）にオフセットして配置することにより、運転座席６に近接するロプスフレーム７に付帯する固定ピン７ｄと運転座席６に着座した乗員の背中との干渉を回避することができるとともに、枡型フレーム部７ｂの可倒操作の際に、運転座席６の近傍において固定ピン７ｄの取扱いが容易となり、さらに、ロプスフレーム７の上端内部側には取手１３を設ける（図４参照）ことにより、枡型フレーム部７ｂの可倒操作の容易化が可能となる。
【符号の説明】
【００２５】
１      薬剤散布車両
５      薬液タンク
５ａ    蓋（給水口）
６      運転座席
７      ロプスフレーム
７ａ    基部
７ｂ    枡型フレーム部（上部側）
７ｃ    可倒支点
１１    メインフレーム
１２    座席フレーム
【図１】
2015082988.tif 000003
【図２】
2015082988.tif 000004
【図３】
2015082988.tif 000005
【図４】
2015082988.tif 000006